(57)【特許請求の範囲】
【請求項１】
内燃機関の一端面に、タイミングケースが装着され、かつオートテンショナーと補機が隣接配置されるオートテンショナー・補機装着構造において、
前記オートテンショナーのハウジングが内燃機関本体に当接され、
前記ハウジングは装着部分と支持部とを有し、
前記装着部分の外側には、前記タイミングケースの端縁部をなす外側部が重ねられて、該装着部分と前記外側部とを貫通するボルトにより、前記装着部分と前記外側部とが内燃機関本体に共締めされ、
前記支持部の外側には、前記補機が当てがわれ、前記支持部と該補機とがボルトによって緊締された
ことを特徴とする内燃機関のオートテンショナー・補機装着構造。
【請求項２】
前記タイミングケースの中央締め部と前記装着部分と前記外側部とを貫通するボルトによる共締め部を結ぶ線上にリブが配設されたことを特徴とする請求項１記載のオートテンショナー・補機装着構造。
【発明の詳細な説明】
【０００１】
【発明の属する技術分野】
本発明は、装着用部品点数が少なく装着剛性の高い内燃機関のオートテンショナ−・補機装着構造に関するものである。
【０００２】
【従来の技術および解決しようとする課題】
従来の内燃機関では、動弁装置の伝動系の保守、点検、整備を簡単に行なうことができ、かつ後記チエンケースにオートテンショナ−や補機の重量を負担させないように、この伝動系を密閉して着脱自在にシリンダブロックに装着されるチエンケースには、オートテンショナーや発電機、ポンプ等の補機を取付けず、シリンダブロックに、これらのオートテンショナ−や補機を取付けていた。
【０００３】
これら補機の取付けの際に、内燃機関本体の突出部分や、他の補機や、レベルゲージ案内筒等の内燃機関の部品との干渉を避けるために、内燃機関本体からオートテンショナ−や補機を離した状態で、ブラケットを介して補機を内燃機関に装着していた。
【０００４】
このため、オートテンショナ−や補機が内燃機関本体から外方へ張り出して内燃機関全体の外形が大型化し、また、部品点数が増大して、重量増大とコストアップが避けられなかった。
【０００５】
【課題を解決するための手段および効果】
本発明は、前述した不具合を解消した内燃機関のオートテンショナ−・補機装着構造の改良に係り、請求項１記載の発明は、内燃機関の一端面に、タイミングケースが装着され、かつオートテンショナーと補機が隣接配置されるオートテンショナー・補機装着構造において、前記オートテンショナーのハウジングが内燃機関本体に当接され、前記ハウジングは装着部分と支持部とを有し、前記装着部分の外側には、前記タイミングケースの端縁部をなす外側部が重ねられて、該装着部分と前記外側部とを貫通するボルトにより、前記装着部分と前記外側部とが内燃機関本体に共締めされ、前記支持部の外側には、前記補機が当てがわれ、前記支持部と該補機とがボルトによって緊締されたことを特徴とする。
【０００６】
請求項１記載の発明は、前述したように構成されているので、強度・剛性の高いオートテンショナ−ハウジングが補機の支持部材の役を果し、補機が強固に締結支持される。
【０００７】
また、補機を内燃機関本体に装着するための支持部材たる補機専用ブラケットが不要となり、大巾な軽量化および部品点数削減が図れ、コストダウンが可能となる。
【０００８】
さらに、前記タイミングケースのみならず前記オートテンショナ−ハウジングを強度・剛性の高い内燃機関本体に強固に装着して、確固と支持することができる。
【０００９】
さらにまた、請求項２記載のように発明を構成することにより、前記タイミングケースの装着剛性を強化することができるのみならず、内燃機関本体に装着された状態における前記タイミングケース自体の剛性を大巾に向上させることができる。
【００１０】
【発明の実施の形態】
以下、図１ないし図３に図示された本発明の一実施形態について説明する。
内燃機関１は、自動車に搭載されるＤＯＨＣ（ダブルオーバーヘッドカムシャフト）式のＶ型８気筒４ストロークサイクル内燃機関であって、該内燃機関１の本体は、シリンダブロック２と、該シリンダブロック２のＶ状上部に配置されたシリンダヘッド３と、前記シリンダブロック２の下方に配置されたクランクケース４とよりなり、これらシリンダブロック２、シリンダヘッド３およびクランクケース４は、図示されないボルトまたはスタッドボルトに螺合されるナットにより、一体に結合され、該クランクケース４の下端にオイルパン５が気水密に一体に装着されている。
【００１１】
また、シリンダブロック２とクランクケース４との合せ面には、クランクシャフト６が回転自在に枢支され、シリンダヘッド３に形成された図示されないシリンダにピストン（図示されず）が摺動自在に嵌装され、該ピストンと前記クランクシャフト６とは図示されないコネクティングロッドを介して連結されており、前記シリンダの燃焼室で発生する燃焼ガスにより前記ピストンが往復駆動されるに伴なって、クランクシャフト６が回転駆動されるようになっている。
【００１２】
さらに、前記シリンダブロック２、シリンダヘッド３およびクランクケース４の一端面には、内燃機関１の図示されない動弁装置に内燃機関１の動力をクランクシャフト６から伝達する図示されないカムチエンおよびスプロケットを密閉するタイミングチエンカバー７が当接され、該タイミングチエンカバー７（図２の右側に示される）を貫通してシリンダブロック２、シリンダヘッド３およびクランクケース４に螺合緊締されるボルト８によって前記シリンダブロック２、シリンダヘッド３およびクランクケース４にタイミングチエンカバー７が着脱自在に一体に装着されるようになっている。
【００１３】
さらにまた、図１の右側下部に位置してクランクケース４とシリンダブロック２に空調用コンプレッサー９が一体に装着されるとともに、その上方外側に位置してシリンダブロック２とシリンダヘッド３にパワーステアリング用オイルポンプ10が一体に装着され、かつ、シリンダブロック２の上方のＶバンクに位置して該シリンダブロック２に冷却用ウォータポンプ11が一体に装着されている。
【００１４】
しかも、図１の左側下部に位置して後で詳細に説明されるように、オートテンショナ−12がシリンダブロック２に一体に装着され、該オートテンショナ−12の下方に位置してオートテンショナ−12のハウジング13とクランクケース４とに交流発電機であるＡＣＧ14が一体に装着されている。
【００１５】
オートテンショナ−12のハウジング13の一方の装着部分１３ａは、図３に図示されるように、シリンダブロック２の一端面に当接され、さらにその外方にタイミングチエンカバー７の外側部７ａが重ねられ、図４に示されるように、このタイミングチエンカバー７の外側部７ａとオートテンショナ−12のハウジング13の装着部分１３ａを貫通しシリンダブロック２にボルト15が螺合緊締されて、タイミングチエンカバー７の外側部７ａとオートテンショナ−12のハウジング13の装着部１３ａはシリンダブロック２に共締されている。
【００１６】
また、オートテンショナ−12のハウジング13の他方の装着部分１３ｂは、シリンダブロック２の左側部から側方へ突出したテンショナ−ブラケット16の端面に当接され、オートテンショナー12のハウジング13の一方の装着部分13ａと同様に、ハウジング13の他方の装着部分13ｂの外方にタイミングチエンカバー７の外側部７ｂが重ねられ、このタイミングチエンカバー７の外側部７ａとオートテンショナ−12のハウジング13の装着部分１３ｂを貫通してシリンダブロック２のテンショナーブラケット16にボルト17が螺合緊締されて、タイミングチエンカバー７の外側部７ｂとオートテンショナー12のハウジング13の装着部分13ｂは、シリンダブロック２のテンショナーブラケット16に共締めされている。
【００１７】
さらに、オートテンショナ−12のハウジング13のＡＣＧ支持部１３ｃに、ＡＣＧ14の一方のブラケット18が当てがわれ、該ブラケット18を貫通してオートテンショナ−12のハウジング13のＡＣＧ支持部１３ｃに、ボルト19が螺合緊締されている。
【００１８】
さらに、ＡＣＧ14の他方のブラケット20が、クランクケース４のブラケット21に当てがわれ、該ブラケット20を貫通してクランクケース４のブラケット21にボルト22が螺合緊締されている。
【００１９】
また、クランクシャフト６の一端はタイミングチエンカバー７を貫通して外方へ突出し、このクランクシャフト６の一端にドリブンプーリ23が一体に嵌着され、前記空調用コンプレッサー９、パワーステアリング用オイルポンプ10、冷却用ウォータポンプ11およびＡＣＧ14の回転軸にドリブンプーリ24，25，26，27がそれぞれ一体に嵌着されている。
【００２０】
さらに、図１において、シリンダブロック２の左右Ｖ状部の略各中心に位置して図示されない左方の締着軸と、右方の締着軸29が突設され、前記タイミングチエンカバー７にはこの締着軸と、締着軸29とに対応した個所に孔が設けられ、図１で左方の締着軸の一雌ネジ部にはタイミングチエンカバー７を貫通したボルト30が螺合緊締されるとともに、右方の締着軸29にアイドラプーリ31のボールベアリング（図示されず）のインナーが嵌合され、該インナーより突出した締着軸29の雌ネジにボルト32が螺合緊締されている。そして、タイミングチエンカバー７の内面には、左方の締着軸に嵌合する孔の外周のボス部33から、オートテンショナ−12の装着用ボルト15を嵌装するタイミングチエンカバー７の外側部７ａに向って補強リブ34が形成されている。
【００２１】
さらにまた、前記ドリブンプーリ23，24，25，26，27に無端ベルト35が架渡され、この無端ベルト35の外周面にアイドラプーリ31が接するように無端ベルト35がアイドラプーリ31に架渡されるとともに、オートテンショナ−12の可動アーム36に枢着されているアイドラプーリ37が無端ベルト35の外周面に接するように無端ベルト35がアイドラプーリ37に架渡されており、可動アーム36を内燃機関１の中心方向へ付勢するオートテンショナ−12により、無端ベルト35は所要の緊張力でもってこれらドリブンプーリ23，24，25，26，27およびアイドラプーリ31，37の外周面に圧接され、内燃機関１の動力がクランクシャフト６よりこれら空調用コンプレッサー９、パワーステアリング用オイルポンプ10、冷却用ウォータポンプ11およびＡＣＧ14に伝達されるようになっている。
【００２２】
しかも、図１において、右方のアイドラプーリ31の下方に位置し、ドリブンプーリ23に隣接してクランクセンサー38が配設されており、クランクシャフト６の回転角度がクランクセンサー38により検出されるようになっている。
【００２３】
図１ないし図３に図示の実施形態は、前述したように構成され、オートテンショナ−12により可動アーム36のアイドラプーリ37が所要の力で無端ベルト35に圧接されているため、内燃機関１が運転を始めると、内燃機関１の動力は、クランクシャフト６から無端ベルト35および各空調用コンプレッサー９、パワーステアリング用オイルポンプ10、冷却用ウォータポンプ11およびＡＣＧ14の各ドリブンプーリ24，25，26，27を介して該空調用コンプレッサー９、パワーステアリング用オイルポンプ10、冷却用ウォータポンプ11およびＡＣＧ14に確実に伝達される。
【００２４】
また、空調用コンプレッサー９、パワーステアリング用オイルポンプ10、冷却用ウォータポンプ11およびＡＣＧ14は、タイミングチエンカバー７より外方へ配置されているため、タイミングチエンカバー７内の動弁装置の伝達機構の保守、点検、整備を行なう場合には、ドリブンプーリ23およびアイドラプーリ31のみを外し、ボルト８を外せば、タイミングチエンカバー７を簡単に取外すことができ、所要の作業を頗る能率良く遂行することができる。
【００２５】
さらに、他方のブラケット20がクランクケース４のブラケット21にボルト22でもって螺合緊締されているＡＣＧ14は、一方のブラケット18が、シリンダブロック２に一体に装着されているオートテンショナ−12のハウジング13のＡＣＧ支持部１３ｃにボルト19でもって螺合緊締され、しかもオートテンショナ−12のハウジング13は強度・剛性が高いため、ＡＣＧ14は強固に安定して内燃機関１の本体に支持されうる。
【００２６】
さらにまた、ＡＣＧ14の上方部分の内燃機関１の本体に対する装着に、専用のブラケット等の支持部品を必要とせず、この支持部品をオートテンショナ−12のハウジング13に代えたため、部品点数を削除して、軽量化とコストダウンとを図ることができる。
【００２７】
しかも、タイミングチエンカバー７の内面において、締着軸に嵌合するボス部33からタイミングチエンカバー７の外側部７ａに向って補強リブ34が形成されているので、タイミングチエンカバー７が補強・補剛され、内燃機関１の加振力でもってタイミングチエンカバー７が振動を起すことが阻止される。
【００２８】
さらに、オートテンショナ−12が配置されていない方の内燃機関１の右側部（図１に図示）にてアイドラプーリ31の下方に位置してクランクセンサー38が配設されているので、内燃機関１の左側部のオートテンショナ−12の可動アーム36は、このクランクセンサー38と干渉せず大きく自由に揺動することができる。
【図面の簡単な説明】
【図１】本発明のオートテンショナ−・補機装着構造を備えた内燃機関のクランク軸方向から見た端面図である。
【図２】オートテンショナーの可動アームの先端に枢支されているアイドラプーリに無端ベルトが架渡されず、オートテンショナーの可動アームが図１に図示した位置より反時計方向に揺動した状態の要部拡大端図である。
【図３】図１の要部III−III矢視図である。
【図４】図２のIV−IV線に沿って一部裁断した一部縦断側面図である。
【符号の説明】
１…内燃機関、２…シリンダブロック、３…シリンダヘッド、４…クランクケース、５…オイルパン、６…クランクシャフト、７…タイミングチエンカバー、８…ボルト、９…空調用コンプレッサー、10…パワーステアリング用オイルポンプ、11…冷却用ウォータポンプ、12…オートテンショナ−、13…ハウジング、14…ＡＣＧ、15…ボルト、16…テンショナ−ブラケット、17…ボルト、18…ブラケット、19…ボルト、20…ブラケット、21…ブラケット、22…ボルト、23…ドリブンプーリ、24…ドリブンプーリ、25…ドリブンプーリ、26…ドリブンプーリ、27…ドリブンプーリ、29…締着軸、30…ナット、31…アイドラプーリ、32…ボルト、33…ボス部、34…補強リブ、35…無端ベルト、36…可動アーム、37…アイドラプーリ、38…クランクセンサー。
【図１】
0004390996.tif 000002
【図２】
0004390996.tif 000003
【図３】
0004390996.tif 000004
【図４】
0004390996.tif 000005